(57)【特許請求の範囲】
【請求項１】
少なくとも画像情報及び／又は音声情報と、該画像情報及び／又は音声情報をそれぞれ任意の大きさの領域に分割して記録再生するための領域開始位置情報及び該領域の再生順を指示する再生順指示情報とを含むユーザが任意に編集可能な再生制御情報と、前記再生制御情報のファイル構造を示す再生制御情報ファイル用構造管理情報とをディスク状記録媒体に対して記録再生する記録再生手段と、
前記画像情報及び／又は音声情報を前記ディスク状記録媒体に対して記録する前に、
前記再生制御情報ファイル用構造管理情報を記録して再生制御情報ファイル用構造管理情報領域を前記ディスク状記録媒体の内周側に設定すると共に、前記再生制御情報ファイル用構造管理情報領域に続く外周側に前記再生制御情報を記録するための領域として仮再生制御情報を記録して仮再生制御情報ファイル領域を設定する一方、前記画像情報及び／又は音声情報を前記仮再生制御情報ファイル領域よりも外周側に記録した後に、前記再生制御情報を前記仮再生制御情報上に上書きするように前記記録再生手段を制御する制御手段とを有するディスク記録再生装置。
【請求項２】
前記制御手段は、編集後における前記再生制御情報のデータサイズとして充分で、前記再生制御情報の最小サイズとの差が、前記画像情報及び／又は音声情報の最小記録単位より小さいデータサイズの前記仮再生制御情報を形成して前記ディスク状記録媒体に記録するように前記記録再生手段を制御することを特徴とする請求項１記載のディスク記録再生装置。
【発明の詳細な説明】
【０００１】
【発明の属する技術分野】
本発明は、再生制御情報に基づいてデータを再生するディスク記録再生装置に関する。
【０００２】
【従来の技術】
近年、データ圧縮技術及び高密度記録技術の進歩に伴い、大容量のデータを記憶可能な記録媒体として高密度記録タイプの光ディスクが開発されている。このような高密度記録タイプの光ディスクには、再生データとして複数の画像データの記録が可能である。
【０００３】
このような光ディスクは、ユーザがカメラ装置等を用いて撮像して得た画像データを記録するのに使用されることが多い。光ディスクに記録された画像データは、通常、光ディスクの内周側の再生開始位置から再生を開始し、内周側から外周側に向かって記録再生ヘッドをシーク動作させながら所望の画像データを記録再生することが多い。このように記録された画像データは、ユーザの指示により、必要な画像部分の選択や、再生時のシーン展開を考慮した再生順の指示等の編集処理をする素材として使用される。
【０００４】
上述した画像データの編集処理では、ユーザの指示による編集内容を再生制御情報として光ディスク内に記憶しておく。ここで、再生制御情報を光ディスクに記録する手法としては、画像及び画像に付随した音声を含む画像ファイルの中に分散して記録する第１の手法と、画像ファイルとは別のファイル形式の再生制御情報ファイルを作成して記録する第２の手法とがある。
【０００５】
前記第２の手法で光ディスクに記録されファイル形式となっている再生制御情報（再生制御情報ファイル）は、編集処理を行った画像ファイルを光ディスクの未記録領域に記録した後に最初に作成され、当該画像ファイルに連続する領域に記録される。したがって、光ディスク上の再生開始位置から編集処理後の画像ファイル、再生制御情報ファイルの順に配置される。
【０００６】
ここで、前記第２の手法で画像ファイルを光ディスクに記録する処理について説明する。
【０００７】
先ずファイルサイズを「０」として光ディスク上に画像ファイル用の構造管理情報領域を作成する。
【０００８】
次に光ディスク上の未記録領域の中から画像ファイルを記録する上で十分な長さを持った連続領域を探す。
【０００９】
次に、光ディスク上の連続領域にデータの記録を行うとともに、画像ファイル用構造管理情報を作成する。
【００１０】
次に、再生制御情報ファイルのサイズを「０」として再生制御情報ファイル用の構造管理情報を光ディスク上に作成し、続いて作成した再生制御情報を記録し、光ディスク上の再生制御情報ファイル用構造管理情報を更新する。
【００１１】
続いてルートディレクトリ用構造管理情報を光ディスクの所定領域に上書きして更新する。
【００１２】
このように第２の手法で画像ファイルが記録される光ディスクは、図５に示すようなデータ構造となっている。すなわち、光ディスクには、図５（ａ）に示すように、内周側から外周側に向かって、リードイン領域１０１、ボリューム空間１０２、リードアウト領域１０３が設けられる。
【００１３】
ボリューム空間１０２には、図５（ｂ）に示すように、内周側から外周側に向かって、光ディスクに記録されるファイルの特性を示す情報が格納されるボリューム構造管理情報領域１１１、画像ファイルや再生制御情報等が格納されるファイル領域１１２、ボリューム構造管理情報領域１１３が設けられる。
【００１４】
ファイル領域１１２には、図５（ｃ）に示すように、内周側から外周側に向かって、ルートディレクトリ用構造管理情報領域１２１、画像ファイルの構造を示す情報等が格納される画像ファイル用構造管理情報領域１２２、画像ファイルが格納される画像ファイル領域１２３、再生制御情報の構造等を示す情報が格納される再生制御情報ファイル用構造管理情報領域１２４、再生制御情報が格納される再生制御情報ファイル領域１２５、未使用領域１２６が設けられる。
【００１５】
また、未使用領域のデータサイズの関係上、前記画像ファイルが複数に分割されたときには、分割された画像ファイルのエクステント（断片）よりも外周側に当該画像ファイルのエクステントについての再生制御情報が記録され、更に他の画像ファイルのエクステントに続いて当該他の画像ファイルのエクステントについての再生制御情報が記録される。
【００１６】
このような状態は、図５（ｃ）に示すように画像ファイルが記録されている場合において、再び画像ファイルを追記したときに発生する。図５（ｄ）に示すように、追記される画像ファイルは、先に記録した再生制御情報ファイル１２５よりも外周側の画像ファイル領域１３０に画像ファイルの第２のエクステントとして記録される。
【００１７】
この後、シーン区切りポイントを増やす、あるいはシーンの再生順を複数通り指定するなどの編集作業を行うことにより、再生制御情報ファイルのサイズが以前より大きくなった場合には、増加した部分を第２のエクステントとして画像ファイル領域１３０よりも外周側の再生制御情報ファイル領域１３１に記録する。
【００１８】
更に、１つのファイル当たりのエクステントの数が増えることにより構造管理情報自体も大きくなることもあり、このような場合には、この増加した部分を第２のエクステントとして、再生制御情報ファイル領域１３１のさらに外周側の再生制御情報ファイル用構造管理情報領域１３２に記録する。
【００１９】
このように、画像ファイルが分割されたときには、画像ファイルが光ディスク内に分散して記録することが多かった。
【００２０】
図６は、このように各エクステントに分割された画像ファイルの再生手順を示す図である。なお、この図６における丸数字は再生順序を示し、実線の矢印はデータの読みとりを、点線の矢印は物理的なシークをそれぞれ示している。
【００２１】
この図６からわかるように、各エクステントに分割された画像ファイルを再生する場合、先ず、ルートディレクトリ用構造管理情報領域１２１に記録されているルートディレクトリ用構造管理情報を読み出して、再生制御情報ファイル用構造管理情報領域１２４の開始位置を認識し、外周側に向かってシークして再生制御情報ファイル用構造管理情報領域１２４にアクセスする。
【００２２】
次に、この再生制御情報ファイル用構造管理情報領域１２４から再生制御情報ファイル用構造管理情報を読み出し、再生制御情報ファイル領域１２５の開始位置を認識し、再生制御情報ファイル領域１２５にアクセスして第１のエクステントの再生制御情報を読み出す。
【００２３】
次に、更に外周側に向かってシークを行い再生制御情報ファイル領域１３１にアクセスして第２のエクステントの再生制御情報を読み出し、再生する画像ファイルを認識する。
【００２４】
次に、画像ファイルを再生すべく、再生制御情報ファイル領域１３１から内周側に向かってシークを行い、画像ファイル用構造管理情報領域１２２にアクセスして各画像ファイルの開始位置を認識する。
【００２５】
次に、画像ファイル用構造管理情報から認識した画像ファイル領域１２３の開始位置から画像ファイルの第１のエクステントを読み出した後に、画像ファイルの第２のエクステントを読み出すべく、外周側にシークを行い、画像ファイル領域１３０にアクセスして、画像ファイルの第２のエクステントを読み出す。これにより、光ディスク上に第１のエクステント及び第２のエクステントに分割されて記録された画像ファイルを連続して再生することができる。
【００２６】
【発明が解決しようとする課題】
ここで、ユーザの指示による画像ファイルの編集処理の後、更に画像ファイルの記録を行い、当該画像ファイルを用いてユーザが２回目の編集処理を行った場合に、１回目の編集処理に応じた再生制御情報及び２回目の編集処理に応じた再生制御情報を再生制御情報ファイルに格納する必要が生ずるため、再生制御情報ファイルのサイズが長くなる場合がある。
【００２７】
このような場合、１回目の編集処理による再生制御情報を格納した再生制御情報ファイル領域１２５の外周側に２回目の再生制御情報を格納した再生制御情報ファイル領域１３１のエクステントが記録されることになるのであるが、光ディスクに記録された画像ファイルを再生するためには、再生する画像ファイルの読み出しに先だって再生制御情報を参照する必要がある。
【００２８】
この場合、前述のように再生制御情報ファイル領域１２５が、再生する画像ファイルを格納した画像ファイル領域１２３よりも外周側に位置すると、先ずシークにより外周側の再生制御情報ファイル領域１２５にアクセスした後に、内周側の画像ファイル領域１２３にアクセスする必要が生じ、記録再生ヘッドで光ディスク上をシークする距離が長くなってしまう。
【００２９】
更に、複数回に亘って画像ファイルの記録、編集処理を行った場合において、それぞれの画像ファイルを異なる光ディスク内の画像ファイル領域１２３に記録することがある。このような場合には、光ディスク内に画像ファイル領域１２３が分散して形成されている状態となり、画像ファイルを再生するときに複数回のシーク動作が必要となり、シーク回数、シーク距離が長くなってしまう。
【００３０】
したがって、画像ファイルに続いて再生制御情報ファイルを記録する方式、画像ファイルを光ディスク内に分散させて記録する方式では、記録再生ヘッドのシーク回数が多くなるとともに、シーク距離が長くなり、例えば光ディスクを挿入してから画像ファイルを読み出すまでの時間が長時間を要する問題がある。
【００３１】
本発明は、上述の課題に鑑みてなされたものであり、再生を行うときのシーク距離を短くして再生するのに要する時間を短縮化することができるようなディスク記録再生装置の提供を目的とする。
【００３２】
【課題を解決するための手段】
請求項１記載のディスク記録再生装置は、上述の課題を解決するために、少なくとも画像情報及び／又は音声情報と、該画像情報及び／又は音声情報をそれぞれ任意の大きさの領域に分割して記録再生するための領域開始位置情報及び該領域の再生順を指示する再生順指示情報とを含むユーザが任意に編集可能な再生制御情報と、前記再生制御情報のファイル構造を示す再生制御情報ファイル用構造管理情報とをディスク状記録媒体に対して記録再生する記録再生手段と、
前記画像情報及び／又は音声情報を前記ディスク状記録媒体に対して記録する前に、
前記再生制御情報ファイル用構造管理情報を記録して再生制御情報ファイル用構造管理情報領域を前記ディスク状記録媒体の内周側に設定すると共に、前記再生制御情報ファイル用構造管理情報領域に続く外周側に前記再生制御情報を記録するための領域として仮再生制御情報を記録して仮再生制御情報ファイル領域を設定する一方、前記画像情報及び／又は音声情報を前記仮再生制御情報ファイル領域よりも外周側に記録した後に、前記再生制御情報を前記仮再生制御情報上に上書きするように前記記録再生手段を制御する制御手段とを有する。
【００３３】
また、請求項２記載のディスク記録再生装置は、上述の課題を解決するために、前記制御手段は、編集後における前記再生制御情報のデータサイズとして充分で、前記再生制御情報の最小サイズとの差が、前記画像情報及び／又は音声情報の最小記録単位より小さいデータサイズの前記仮再生制御情報を形成して前記ディスク状記録媒体に記録するように前記記録再生手段を制御する。
【００３６】
【発明の実施の形態】
本発明は、例えば図１に示すような光ディスク記録再生装置１に適用することができる。この本発明の実施の形態となる光ディスク記録再生装置１は、画像データ及び（又は）音声データをディスクドライブ２に内蔵された光ディスク２ａに記録再生するものである。ディスクドライブ２は、光ディスク２ａ上を走査して記録再生動作をする記録再生ヘッドを内部に備え、入力された制御コマンドに従って記録再生処理を行うようになっている。
【００３７】
この光ディスク記録再生装置１では、ビデオカメラ３で生成された画像データをビデオ入力プロセッサ４、ビデオエンコーダ５、マルチプレクサ６を介してディスクドライブ２に入力する。
【００３８】
ビデオカメラ３は、例えばＣＣＤ（Charge Coupled Device）イメージセンサを備え、当該ＣＣＤイメージセンサで生成された画像信号をビデオ入力プロセッサ４に供給する。
【００３９】
ビデオ入力プロセッサ４は、ビデオカメラ３からの画像信号にアナログディジタル変換処理やフォーマット変換処理等の所定の信号処理を施すことで、後段の処理を行うための画像データとする。このビデオ入力プロセッサ４は、画像データをビデオエンコーダ５に供給する。
【００４０】
ビデオエンコーダ５は、ビデオ入力プロセッサ４からの画像データに例えばＭＰＥＧ（Moving Picture Experts Group）方式に準じた処理を施すことで画像データを圧縮してビデオデータストリームを生成し、マルチプレクサ６に供給する。
【００４１】
また、この光ディスク記録再生装置１では、マイクロホン７で検出した音声をオーディオ入力プロセッサ８、オーディオエンコーダ９、マルチプレクサ６を介してディスクドライブ２に供給する。
【００４２】
マイクロホン７は、外部の音声を集音し、例えば前記ビデオカメラ３で生成する画像信号に付随した音声信号を生成する。このマイクロホン７は、生成した音声信号をオーディオ入力プロセッサ８に供給する。
【００４３】
オーディオ入力プロセッサ８は、マイクロホン７からの音声信号にアナログディジタル変換処理やフォーマット変換処理等の所定の信号処理を施すことで、後段の処理を行うための音声データとする。このオーディオ入力プロセッサ８は、音声データをオーディオエンコーダ９に供給する。
【００４４】
オーディオエンコーダ９は、オーディオ入力プロセッサ８からの音声データに所定の方式に準じた処理を施すことで音声データを圧縮してオーディオデータストリームを生成し、マルチプレクサ６に出力する。
【００４５】
マルチプレクサ６は、ビデオエンコーダ５からのビデオデータストリームとオーディオエンコーダ９からのオーディオデータストリームとを重畳することで単一のデータストリームを生成する。ここで、マルチプレクサ６は、所定のデータ量毎にビデオデータストリームとオーディオデータストリームとを重畳してディスクドライブ２に供給する。また、このマルチプレクサ６は、データストリームをＣＰＵ（Central Processing Unit）１９に供給する。
【００４６】
更に、この光ディスク記録再生装置１では、ディスクドライブ２で再生した画像データを、デマルチプレクサ１０、ビデオデコーダ１１及び／又はオンスクリーンディスプレイ１２、ビデオ出力プロセッサ１３、モニタ装置１４に入力する。
【００４７】
デマルチプレクサ１０には、ディスクドライブ２から画像データと音声データとが重畳されたデータストリームが供給されており、デマルチプレクサ１０は、データストリームをビデオデータストリームとオーディオデータストリームとに分離し、ビデオデータストリームをビデオデコーダ１１及び（又は）オンスクリーンディスプレイ１２に供給するとともに、オーディオデータストリームを後述のオーディオデコーダ１５に供給する。
【００４８】
ビデオデコーダ１１は、デマルチプレクサ１０からのビデオデータストリームにＭＰＥＧ方式に準じたデコード処理を行うことで、伸張復号化処理した画像データを生成し、これをビデオ出力プロセッサ１３に供給する。
【００４９】
オンスクリーンディスプレイ１２は、横×縦の長さが例えば４ｃｍ×３ｃｍ等の小さな表示画面を有しており、デマルチプレクサ１０からの画像データをビデオ出力プロセッサ１３に供給すると共に、この画像データに対応する画像を簡易的に表示するようになっている。
【００５０】
ビデオ出力プロセッサ１３は、ビデオデコーダ１１又はオンスクリーンディスプレイ１２からの画像データにフォーマット変換処理及びディジタルアナログ変換処理を施し、これをモニタ装置１４に供給する。これにより、光ディスク２ａから再生された画像をモニタ装置１４に表示することができる。
【００５１】
また、この光ディスク記録再生装置１では、ディスクドライブ２で再生したデータストリームを、デマルチプレクサ１０、オーディオデコーダ１５、オーディオ出力プロセッサ１６、オーディオアンプ１７に供給する。
【００５２】
オーディオデコーダ１５は、デマルチプレクサ１０からのオーディオデータストリームに所定の方式に準じたデコード処理を施すことで、音声データを伸張復号化処理し、これをオーディオ出力プロセッサ１６に供給する。
【００５３】
オーディオ出力プロセッサ１６は、オーディオデコーダ１５からの音声データにフォーマット変換処理及びデジタルアナログ変換処理を施し、これをオーディオアンプ１７に供給する。これにより、オーディオアンプ１７を介して光ディスク２ａから再生された音声データの音響出力を得ることができる。
【００５４】
また、この光ディスク記録再生装置１は、例えば複数のスイッチ群、回転ダイヤル、キーボード、マウス等からなる操作入力部１８を有している。この操作入力部１８は、ユーザの操作に対応する操作入力信号を生成し、これをＣＰＵ１９に供給する。ＣＰＵ１９は、この操作入力信号に対応する例えば記録開始、記録停止、再生開始、再生停止等の制御コマンドを生成し、これをコマンドインターフェース２０を介してディスクドライブ２に供給すると共に、上述した各部５，９，１１，１２，１５等にそれぞれ供給する。これにより、光ディスク２ａに対して所定のデータストリームを記録再生することができる。
【００５５】
また、ＣＰＵ１９は、操作入力部１８からの操作入力信号に基づいて、光ディスク２ａに記録されたデータの編集処理を行うようにディスクドライブ２を制御する。後述するが、ＣＰＵ１９は、データストリームの記録処理、データストリームの編集処理を行うときには、作業領域としてメモリ２１を利用して、記録処理又は編集処理を行ったことによる再生制御情報、構造管理情報等を生成するようになっている。
【００５６】
次に、光ディスク２ａには、図２（ａ）に示すように内周側から外周側に向かって、リードイン領域３１、ボリューム空間３２、リードアウト領域３３がそれぞれ設けられている。
【００５７】
ボリューム空間３２には、図２（ｂ）に示すように、内周側から外周側に向かって、光ディスク２ａに記録されるファイルの特性を示す情報が格納されるボリューム構造管理情報領域４１、画像ファイルや再生制御情報ファイル等が格納されるファイル領域４２、ボリューム構造管理情報領域４３が設けられる。
【００５８】
このボリューム構造管理情報領域４１、４３には、ＣＰＵ１９がメモリ２１内にあらかじめ持っているファイル領域４２に関する初期的な情報、ユーザからの指示による情報が書き込まれる。また、前記ボリューム構造管理情報領域４１、４３には、ボリューム空間３２の構造を示す情報、ボリューム空間３２に記録される画像ファイル、再生制御情報ファイル等を管理するための情報が記録される。
【００５９】
ボリューム構造管理情報領域４１、４３には、例えばファイル領域４２の特性、ファイル領域４２の開始位置及び終了位置、ファイル領域４２のデータサイズ、ファイル領域４２の数等がボリューム構造管理情報として記録される。
【００６０】
ファイル領域４２には、図２（ｃ）に示すように内周側から外周側に向かって、ルートディレクトリ用構造管理情報領域５１、再生制御情報ファイルについての構造管理情報が格納される再生制御情報ファイル用構造管理情報領域５２、再生制御情報ファイルが格納される仮再生制御情報ファイル領域５３、画像ファイルについての構造管理情報が格納される画像ファイル用構造管理情報領域５４、画像ファイルが格納される画像ファイル領域５５、未使用領域５６が設けられる。
【００６１】
ルートディレクトリ用構造管理情報領域５１には、ルートディレクトリの記録位置、記録容量、ディレクトリ名、サブディレクトリに関する情報がルートディレクトリ構造管理情報として記録される。
【００６２】
再生制御情報ファイル用構造管理情報領域５２には、各再生制御情報ファイルの記録位置、記録容量、ファイル名を示す構造管理情報が記録される。
【００６３】
仮再生制御情報ファイル領域５３には、再生制御情報ファイルが記録される。この仮再生制御情報ファイル領域５３は、後述するが、ＣＰＵ１９により再生制御情報を更新したときの再生制御情報の容量の変化量に基づいて、その容量が設定される。
【００６４】
画像ファイル用構造管理情報領域５４には、各画像ファイルの記録位置、記録容量、ファイル名を示す構造管理情報が記録される。
【００６５】
画像ファイル領域５５には、画像ファイルが記録される。
【００６６】
各構造管理情報領域５２、５４には、各ファイルが複数のエクステントと呼ばれる断片に分散して異なる記録位置に記録されるときにおいて、各エクステントに関する記録位置、データ量、各エクステント間の接続関係に関する情報も記録される。
【００６７】
また、前記画像ファイルには、上述のマルチプレクサ６で音声と画像とが重畳されたデータストリームが複数格納される。
【００６８】
前記再生制御情報ファイルには、画像ファイルの再生時や編集処理時に必要な再生制御情報が格納される。例えば画像ファイルに含まれる画像データはユーザによる指示や操作によって任意の単位でシーンを区切ることができ、再生制御情報ファイルには、区切られた各々のシーンの記録位置、サイズあるいは各シーンが再生時に有効か無効かを示す属性情報、また各シーンの再生順序等を示す再生制御情報が記録される。
【００６９】
次に、上述した光ディスク記録再生装置１において、画像データ及び（又は）音声データを光ディスク２ａに記録するときの処理、光ディスク２ａに記録された画像ファイルを再生する処理について説明する。
【００７０】
先ず、ディスクドライブ２に光ディスク２ａが挿入されると、ＣＰＵ１９には、コマンドインターフェース２０を介してディスクドライブ２から光ディスク２ａが挿入された旨の情報が入力される。これに応じ、ＣＰＵ１９は、物理フォーマットの設定を要求する制御コマンドをコマンドインターフェース２０を介してディスクドライブ２に出力する。
【００７１】
ＣＰＵ１９は、図２（ａ）に示すように、光ディスク２ａの内周側からリードイン情報を記録してリードイン領域３１を設定するとともに、ＣＰＵ１９から指定されたデータサイズのボリューム空間３２を任意の値（例えば０ｈ）で埋め、更にリードアウト情報を記録してリードアウト領域３３を設定する。
【００７２】
次にＣＰＵ１９は、論理フォーマット処理を行うことにより、ボリューム空間３２の最内周と最外周にボリューム構造管理情報領域４１、４３を設定する。
【００７３】
次に、ＣＰＵ１９は、ファイル領域４２内にルートディレクトリ用構造管理情報を書き込んでルートディレクトリ用構造管理情報領域５１を設定する。ここで、操作入力部１８から任意のサブディレクトリを設定する旨の操作入力信号が入力された場合には、ＣＰＵ１９は、ユーザの指定もしくは予め決まった名称を持つサブディレクトリ用構造管理情報を記録する。これにより、ＣＰＵ１９は、画像ファイル等の記録を開始する前提の処理を終了する。
【００７４】
次に、例えば操作入力部１８からの操作入力信号に応じて画像ファイルを記録するときには、上述の図２に示すようなフォーマットに従い、画像ファイル及び当該画像ファイルについての再生制御情報ファイルを記録する処理に移行する。
【００７５】
ここで、ＣＰＵ１９は、画像ファイルを光ディスク２ａに記録する前に、再生制御ファイルのファイルサイズを「０」として再生制御情報ファイル用構造管理情報を書き込む。これにより、ＣＰＵ１９は、ルートディレクトリ用構造管理情報領域５１の外周側に再生制御情報ファイル用構造管理情報領域５２を設定する。
【００７６】
次にＣＰＵ１９は、ユーザが十分に編集処理したときの再生制御情報ファイルのファイルサイズを決定する処理を行って仮再生制御情報ファイル領域５３の容量を決定する。すなわち、ＣＰＵ１９は、編集処理後の再生制御情報ファイルのファイルサイズの変化量を計算する。このとき、ＣＰＵ１９は、仮再生制御情報ファイル領域５３の領域サイズと、後の処理で仮再生制御情報ファイル領域５３に記録する再生制御情報ファイルの最小ファイルサイズとの差を、画像データ及び（又は）音声データの記録可能な最小サイズより小さくなるように仮再生制御情報ファイル領域５３の領域サイズを決定する。
【００７７】
次に、ＣＰＵ１９は、上述したように決定した領域サイズと同じサイズの仮再生制御情報ファイルをメモリ２１内で作成し、ディスクドライブ２に出力する。これにより、ＣＰＵ１９は、再生制御情報ファイル用構造管理情報領域５２の外周側に仮再生制御情報ファイル領域５３を設定し、仮再生制御情報ファイルを光ディスク２ａに書き込む。
【００７８】
ここで、例えばＤＶＤビデオプレーヤ装置は、ディファレンシャル・フェーズ・ディテクション法（ＤＰＤ）によりトラッキングサーボをかけるようになっているのであるが、このＤＰＤ法を用いた場合、ピットの存在しない領域（ミラー領域）ではトラッキングサーボをかけることができない。装置の起動時にはディスクドライブ２のピックアップはディスク最内周付近に位置し、画像情報を読み込むためにはシーク動作でピックアップをディスク外周側に移動する必要があるが、ディスク最内周からディスク外周側までシークする間に前記ミラー領域が存在すると、このミラー領域でトラッキングサーボが外れてしまうため、このミラー領域よりディスク外周側にはピックアップが移動困難となる。
【００７９】
このため、当該実施の形態では、ＣＰＵ１９が、例えば全て０データ（ヌルデータ）の前記仮再生制御情報ファイルを形成し、これを前記仮再生制御情報ファイル領域５３に書き込むことで、ディスク上に前記ミラー領域が存在しないようにし、ディスク最内周からディスク外周側までピックアップをスムーズにシーク制御可能としている。
【００８０】
なお、この仮再生制御情報ファイル領域５３に書き込む仮再生制御情報ファイルとしては、前記ヌルデータ以外に例えばユニークデータ等の他のデータであってもよい。
【００８１】
次に、ＣＰＵ１９は、仮再生制御情報ファイルを書き込んだことに応じて、先の処理で「０」とした再生制御情報ファイル用構造管理情報領域５２に上書き処理して再生制御情報ファイル用の構造管理情報を更新する。
【００８２】
次に、光ディスク記録再生装置１は、メモリ２１を作業領域として用いて、画像ファイル用構造管理情報を作成し、仮再生制御情報ファイル領域５３の外周側に画像ファイル用構造管理情報領域５４を設ける。
【００８３】
次に、ＣＰＵ１９は、ビデオエンコーダ５、オーディオエンコーダ９及びマルチプレクサ６、ディスクドライブ２等に起動命令を出力してデータストリームをマルチプレクサ６からディスクドライブ２に供給して、ディスクドライブ２に制御コマンドを発行してディスクドライブ２内の記録再生ヘッドを駆動させて光ディスク２ａにデータストリームの記録を行うように制御する。これにより、ＣＰＵ１９は、画像ファイル領域５５に画像ファイルの記録を行う。
【００８４】
ＣＰＵ１９は、１つの画像ファイルをディスクドライブ２に出力し、この画像ファイルを記録することができる連続領域の先頭から順に記録を行うとともに、画像ファイル用構造管理情報を作成し記録の都度更新を行う。また、ＣＰＵ１９は、画像ファイル用構造管理情報領域５４よりも外周側を画像ファイル領域５５として画像ファイルを記録する。
【００８５】
このとき、操作入力部１８からＣＰＵ１９に、記録中断、記録再開等の操作入力信号が入力されたことに応じて、その都度ディスクドライブ２、エンコーダ５、９、マルチプレクサ６に記録動作の中断、再開命令を繰り返し未使用領域の内周側から順に記録する処理を続ける。
【００８６】
また、ＣＰＵ１９は、前記記録を中断したときにシーンが変わったと判断し、シーンチェンジ点を位置情報として記憶し、位置情報に基づいて再生制御情報を作成し記録の都度更新を行う。
【００８７】
また、ＣＰＵ１９は、再生停止の指示を示す操作入力信号が入力されたことに応じて、ディスクドライブ２、エンコーダ５，９、マルチプレクサ６に記録動作の停止を命ずる制御コマンドを発行し、マルチプレクサ６からディスクドライブ２への画像ファイルの供給を停止する。この時点で、ＣＰＵ１９は、画像ファイル全体のサイズや、各エクステントの開始位置、サイズを認識し、作成または更新作業を続けていた画像ファイル用構造管理情報を更新する。
【００８８】
また、ＣＰＵ１９は、画像ファイルの記録、画像ファイル用構造管理情報の更新を行うとともに、メモリ２１内に再生制御情報を作成し、当該再生制御情報を仮再生制御情報ファイル領域５３に上書き処理をすることで、図３に示すように、再生制御情報ファイル領域６１とする。ここでＣＰＵ１９は、再生制御情報を更新したとき、仮再生制御情報ファイルのサイズより更新する再生制御情報ファイルのサイズが小さい場合には、再生制御情報ファイルが記録されていない領域を第２の未使用領域６２とする。
【００８９】
図３に示すように光ディスク２ａに情報やファイルが記録されている場合において、再び画像ファイルの追記を行うとき、仮再生制御情報ファイル領域５３の領域サイズと再生制御情報ファイルとして成り立つ最小サイズとの差を、画像データを記録する上での最小単位より小さくなるように定めたので、第２の未使用領域６２は画像データを記録する領域とみなされず、追記される画像データは先に記録した再生制御情報ファイルの外周側の未使用領域５６に記録される。すなわち、再生制御情報ファイル領域６１に続いて画像ファイルが記録されるようなことはない。
【００９０】
この後、再生制御情報ファイル６１に対しシーン区切りポイントを増やす、あるいはシーンの再生順を複数通り指定するなどの編集処理を行う旨の操作入力信号が入力されたときには、ＣＰＵ１９は、操作入力信号に応じて再生制御情報を新たに更新して、再生制御情報ファイル６１のサイズが以前より増加したと判定したときには、再生制御情報ファイル６１の先頭から上書をし、増加分を第２の未使用領域６２に記録する処理をする。
【００９１】
すなわち、光ディスク２ａに画像ファイルを更に追記して、以前に記録した第１の画像ファイル及び第１の画像ファイルの第１の再生制御情報、追記した第２の画像ファイル及び第２の画像ファイルの第２の再生制御情報を記録したときには、図４に示すように、ファイル領域４２に各情報が記録される。ファイル領域４２には、光ディスク２ａの内周側からルートディレクトリ用構造管理情報、再生制御情報ファイル用構造管理情報、第１の再生制御情報ファイル、第２の再生制御情報ファイル、画像ファイル用構造管理情報、第１の画像ファイル、第２の画像ファイルの順に配置されることになる。
【００９２】
このような順序で記録された光ディスク２ａの第１の画像ファイル及び第２の画像ファイルを再生するときには、図４に示すように、先ず、ルートディレクトリ用構造管理情報を読み出し（ステップＳ１）、再生制御情報ファイル用構造管理情報領域５２の記録位置を認識し、再生制御情報ファイル用構造管理情報領域５２にアクセスする。
【００９３】
次に、再生制御情報ファイル用構造管理情報を読み出し（ステップＳ２）、第１の再生制御情報ファイル及び第２の再生制御情報ファイルの開始位置を認識し、再生制御情報ファイル領域６１にアクセスする。
【００９４】
次に、第１の再生制御情報ファイルを読み出し（ステップＳ３）、第２の再生制御情報ファイルを読み出す（ステップＳ４）。
【００９５】
次に、画像ファイル用構造管理情報を読み出し（ステップＳ５）、第１の画像ファイル及び第２の画像ファイルの記録位置を認識する。次に、第１の画像ファイルを読み出し（ステップＳ６）、第２の画像ファイルを読み出す（ステップＳ７）。
【００９６】
次に、ＣＰＵ１９は、デマルチプレクサ１０、オーディオデコーダ１５、オーディオ出力プロセッサ１６、オーディオアンプ１７を制御してスピーカ機構から音声を出力させるとともに、デマルチプレクサ１０、ビデオデコーダ１１、オンスクリーンディスプレイ１２、ビデオ出力プロセッサ１３、モニタ装置１４を制御して画像を表示させる。
【００９７】
このような光ディスク記録再生装置１では、十分に編集処理を行ったときの再生制御ファイルの変化量を予測して予め決定するので、画像ファイルを記録する前に、仮再生制御情報ファイル領域５３を設定することができる。このため、再生制御情報ファイル用構造管理情報領域５２に続いて仮再生制御情報ファイル領域５３を設け、仮再生制御情報ファイル領域５３よりも外周側に画像ファイル領域５５を設けることができる。
【００９８】
また、この光ディスク記録再生装置１によれば、再生時に内周側から記録再生ヘッドを走査したとき、先ず再生制御情報を読み出して画像ファイルの開始位置を認識し、外周側に記録再生ヘッドを走査して画像ファイルを読み出すことができる。このため、この光ディスク記録再生装置１によれば、記録再生ヘッドのシーク回数を少なくすることができるとともに、シーク距離を短くすることができる。
【００９９】
したがって、この光ディスク記録再生装置１によれば、効率的に記録再生ヘッドを走査させて画像ファイルを読み出すことができるので、例えば操作入力部１８から画像を再生する旨の操作入力信号が入力されてからモニタ装置１４に画像を表示するまでの時間を短くすることができる。
【０１００】
なお、上述の実施の形態では、画像データ及び（又は）音声データ等を記録する記録媒体として光学的な作用により情報の記録再生がなされる光ディスク２ａについて説明したが、本発明は、光学的及び磁気的な作用を用いて記録再生をする光磁気ディスク、磁気的な作用のみを用いて記録再生をする磁気ディスク、結晶構造の変化に起因した光学的な変化を利用して記録再生をする相変化型ディスク、物理的に高密度記録可能な記録媒体であっても適用可能である。
【０１０１】
【発明の効果】
本発明に係るディスク記録再生装置は、記録再生手段のシーク回数、シーク距離を短くして、ディスク挿入から画像データの読み出しまでの時間を大幅に短縮化することができる。
【０１０２】
また、ディスク状記録媒体上の仮再生制御情報領域に所定の情報形態の仮再生制御情報を書き込むことにより、実際の再生制御情報がこの仮再生制御情報よりもサイズが小さかった場合においても、ディスク状記録媒体の最内周記録位置から最外周記録位置までの間を情報で埋めることができるため、例えばディファレンシャル・フェーズ・ディテクション法（ＤＰＤ）等のように記録ピットを利用したトラッキングサーボ方式のみを備えたＤＶＤビデオプレーヤ装置等で再生する場合でも良好なトラッキングサーボを可能とすることができる。
【図面の簡単な説明】
【図１】本発明を適用した光ディスク記録再生装置の構成を示すブロック図である。
【図２】本発明を適用した光ディスク記録再生装置により記録再生が行われる光ディスクのデータ構造を説明するための図であり、（ａ）は光ディスクの全体のデータ構造を示し、（ｂ）はボリューム空間のデータ構造を示し、（ｃ）は画像ファイルを光ディスクに記録する前に設定されるファイル領域のデータ構造を示す。
【図３】本発明を適用した光ディスク記録再生装置により画像ファイルを記録した後のファイル領域のデータ構造を説明するための図である。
【図４】本発明を適用した光ディスク記録再生装置により画像ファイルを再生するときの記録再生ヘッドの読みとり順序を説明するための図である。
【図５】従来の第２の手法により画像ファイルが記録される光ディスクのデータ構造を説明するための図である。
【図６】従来の方法により画像ファイルを再生するときの記録再生ヘッドの読みとり順序を説明するための図である。
【符号の説明】
１…光ディスク記録再生装置、２…ディスクドライブ、２ａ…光ディスク、１９…ＣＰＵ、５３…仮再生制御情報ファイル領域、５５…画像ファイル領域、６１…再生制御情報ファイル領域
【図１】
0003785896.tif 000002
【図２】
0003785896.tif 000003
【図３】
0003785896.tif 000004
【図４】
0003785896.tif 000005
【図５】
0003785896.tif 000006
【図６】
0003785896.tif 000007